(57)【要約】【課題】  動画符号化方式に則して生成された動画像に対応する複数の高画質な静止画像を簡単な操作でかつ適切なタイミングで表示する。【解決手段】  ＤＶＤ１０４に記録されたＭＰＥＧ動画像のサムネイル画像を表示し、  指定されたサムネイル画像に対応するＭＰＥＧ動画像を表示する。ここで、指定されたサムネイル画像が複数のＪＰＥＧ画像から生成されたＭＰＥＧ動画像に対応するサムネイル画像であった場合、そのＭＰＥＧ動画像の生成元となった複数のＪＰＥＧ静止画像をスライドショー表示する。【選択図】  図１
2007235195.tif 000002
【特許請求の範囲】
【請求項１】
静止画像及び動画像を記録媒体に記録できる画像記録装置であって、
静止画像を静止画符号化方式に則して符号化し前記記録媒体に記録する静止画記録手段と、
動画像を動画符号化方式に則して符号化し前記記録媒体に記録する動画記録手段と、
前記静止画符号化方式に則して符号化された複数の静止画像から前記動画符号化方式に則した動画像を生成し前記記録媒体に記録する生成記録手段と、
前記記録媒体に記録された動画像の識別画像を表示手段に表示させる識別画像表示制御手段と、
前記表示手段において指定された識別画像に対応する動画像を前記表示手段に表示させる動画情報表示制御手段と、
前記表示手段において指定された識別画像が前記生成記録手段により生成された動画像に対応する識別画像であった場合、前記生成された動画像の生成元となった前記静止画符号化方式に則する複数の静止画像を前記表示手段に順次表示させる静止画情報表示制御手段と、を有することを特徴とする画像記録装置。
【請求項２】
前記動画符号化方式は、ＭＰＥＧ方式であることを特徴とする請求項１に記載の画像記録装置。
【請求項３】
前記動画記録手段は、ＤＶＤ−Ｖｉｄｅｏ規格またはＤＶＤ  Ｖｉｄｅｏ  Ｒｅｃｏｒｄｉｎｇ  Ｆｏｒｍａｔ規格に則してＭＰＥＧ方式の動画像の記録を行うことを特徴とする請求項２に記載の映像記録再生装置。
【請求項４】
前記静止画符号化方式は、ＪＰＥＧ方式であることを特徴とする請求項１〜３のいずれかに記載の画像記録装置。
【請求項５】
前記静止画情報表示制御手段は、一定時間間隔で前記複数の静止画像を順次表示させることを特徴とする請求項１に記載の画像記録装置。
【請求項６】
前記静止画情報表示制御手段は、操作者の指示に応じて、現在表示している静止画像から次に表示すべき静止画像へと表示を切換えることを特徴とする請求項１に記載の画像記録装置。
【請求項７】
前記識別画像表示制御手段において指定された識別画像が前記生成手段により生成された動画像に対応する識別画像であった場合、前記生成された動画像の生成元となった前記静止画符号化方式に則する複数の静止画像を出力先の解像度にあわせて縮小または拡大して出力する外部出力手段をさらに有することを特徴とする請求項１に記載の画像記録装置。
【請求項８】
前記生成記録手段は、前記生成した動画像とその元となった複数の静止画像との対応関係を示すリストを作成し、前記静止画情報表示制御手段は、作成したリストに基づき静止画像を表示させることを特徴とする請求項１に記載の画像記録装置。
【請求項９】
静止画像及び動画像を記録媒体に記録できる画像記録装置であって、
静止画像を静止画符号化方式に則して符号化し前記記録媒体に記録する静止画記録手段と、
動画像を動画符号化方式に則して符号化し前記記録媒体に記録する動画記録手段と、
前記静止画符号化方式に則して符号化された複数の静止画像から前記動画符号化方式に則した動画像を生成し前記記録媒体に記録する生成記録手段と、
前記記録媒体に記録された動画像の識別画像を表示手段に表示させる識別画像表示制御手段と、
前記表示手段において指定された識別画像に対応する動画像を前記表示手段に表示させる動画情報表示制御手段と、
前記表示手段において前記動画情報表示制御手段が前記生成手段により生成された動画像を表示させているときに静止画表示が指示された場合、前記生成された動画像の生成元となった前記静止画符号化方式に則する少なくとも１つの静止画像を表示させる静止画情報表示制御手段と、を有することを特徴とする画像記録装置。
【請求項１０】
静止画表示が指示された場合、前記動画情報表示制御手段は前記生成された動画像の表示を停止し、前記静止画情報表示制御手段は、前記静止画表示の指示時に前記動画情報表示手段が表示していた動画像に対応する静止画像を表示させることを特徴とする請求項９に記載の画像記録装置。
【請求項１１】
静止画像及び動画像を記録媒体に記録できる画像記録装置であって、
静止画像を静止画符号化方式に則して符号化し前記記録媒体に記録する静止画記録手段と、
動画像を動画符号化方式に則して符号化し前記記録媒体に記録する動画記録手段と、
前記静止画符号化方式に則して符号化された複数の静止画像から前記動画符号化方式に則した動画像を生成し前記記録媒体に記録する生成記録手段と、
前記記録媒体に記録された動画像の識別画像を表示手段に表示させる識別画像表示制御手段と、
前記表示手段において指定された識別画像が前記生成手段により生成された動画像に対応する識別画像であった場合、前記生成された動画像の生成元となった前記静止画符号化方式に則する複数の静止画像を前記表示手段に順次表示させる静止画情報表示制御手段と、
前記表示手段において指定された識別画像が前記画像記録装置と異なる他の画像記録装置の生成手段により生成された動画像に対応する識別画像であった場合、指定された識別画像に対応する動画像を前記表示手段に表示させる動画情報表示制御手段と、
を有することを特徴とする画像記録装置。
【請求項１２】
記録媒体に記録された動画像の記録元装置を判断する判断手段をさらに有し、前記生成記録手段は前記動画像を生成するとともに前記画像記録装置の識別情報を前記記録媒体に記録し、前記判断手段は、前記識別情報に基づき、複数の静止画像から生成された動画像が記録された画像記録装置を判断することを特徴とする請求項１１に記載の画像記録装置。
【請求項１３】
静止画符号化方式に則して符号化された静止画像と動画符号化方式に則して符号化された動画像とを記録媒体から読み出して表示できる画像表示装置であって、
前記記録媒体に記録された動画像の識別画像を表示手段に表示させる識別画像表示制御手段と、
前記表示手段において指定された識別画像に対応する動画像が、前記静止画符号化方式に則して符号化された複数の静止画像から生成された前記動画符号化方式に則した動画像であるか否か判断する判断手段と、
前記判断手段が前記表示手段において指定された識別画像が前記生成手段により生成された動画像に対応する識別画像であると判断した場合、前記生成された動画像の生成元となった前記静止画符号化方式に則する複数の静止画像を順次復号化して前記表示手段に表示させる静止画情報表示制御手段と、を有することを特徴とする画像表示装置。
【請求項１４】
前記記録媒体には、前記生成した動画像とその元となった複数の静止画像との対応関係を示すリストが記録されており、前記静止画情報表示制御手段は、記録されたリストを読み出して参照することにより静止画像を復号化して表示させることを特徴とする請求項１３に記載の画像表示装置。
【請求項１５】
静止画像及び動画像を記録媒体に記録できる画像記録装置の画像表示方法であって、
静止画像を静止画符号化方式に則して符号化し前記記録媒体に記録する静止画記録ステップと、
動画像を動画符号化方式に則して符号化し前記記録媒体に記録する動画記録ステップと、
前記静止画符号化方式に則して符号化された複数の静止画像から前記動画符号化方式に則した動画像を生成し前記記録媒体に記録する生成記録ステップと、
前記記録媒体に記録された動画像の識別画像を表示する識別画像表示ステップと、
指定された識別画像に対応する動画像を表示する動画情報表示ステップと、
指定された識別画像が前記生成された動画像に対応する識別画像であった場合、前記生成された動画像の生成元となった前記静止画符号化方式に則する複数の静止画像を順次表示する静止画情報表示ステップと、を有することを特徴とする画像記録装置の画像表示方法。
【請求項１６】
静止画像及び動画像を記録媒体に記録できる画像記録装置の画像表示方法であって、
静止画像を静止画符号化方式に則して符号化し前記記録媒体に記録する静止画記録ステップと、
動画像を動画符号化方式に則して符号化し前記記録媒体に記録する動画記録ステップと、
前記静止画符号化方式に則して符号化された複数の静止画像から前記動画符号化方式に則した動画像を生成し前記記録媒体に記録する生成記録ステップと、
前記記録媒体に記録された動画像の識別画像を表示手段に表示する識別画像表示ステップと、
指定された識別画像に対応する動画像を前記表示手段に表示する動画情報表示ステップと、
前記動画情報表示ステップにおいて前記生成された動画像を表示しているときに静止画表示が指示された場合、前記生成された動画像の生成元となった前記静止画符号化方式に則する少なくとも１つの静止画像を前記表示手段に表示する静止画情報表示ステップと、を有することを特徴とする画像記録装置の画像表示方法。
【請求項１７】
静止画像及び動画像を記録媒体に記録できる画像記録装置の画像表示方法であって、
静止画像を静止画符号化方式に則して符号化し前記記録媒体に記録する静止画記録ステップと、
動画像を動画符号化方式に則して符号化し前記記録媒体に記録する動画記録ステップと、
前記静止画符号化方式に則して符号化された複数の静止画像から前記動画符号化方式に則した動画像を生成し前記記録媒体に記録する生成記録ステップと、
前記記録媒体に記録された動画像の識別画像を表示手段に表示する識別画像表示ステップと、
指定された識別画像が前記生成された動画像に対応する識別画像であった場合、前記生成された動画像の生成元となった前記静止画符号化方式に則する複数の静止画像を前記表示手段に順次表示する静止画情報表示ステップと、
指定された識別画像が前記画像記録装置と異なる他の画像記録装置により生成された動画像に対応する識別画像であった場合、指定された識別画像に対応する動画像を前記表示手段に表示する動画情報表示ステップと、を有することを特徴とする画像記録装置の画像表示方法。
【請求項１８】
静止画符号化方式に則して符号化された静止画像と動画符号化方式に則して符号化された動画像とを記録媒体から読み出して表示できる画像表示装置の画像表示方法であって、
前記記録媒体に記録された動画像の識別画像を表示する識別画像表示ステップと、
指定された識別画像に対応する動画像が、前記静止画符号化方式に則して符号化された複数の静止画像から生成された前記動画符号化方式に則した動画像であるか否か判断する判断ステップと、
指定された識別画像が前記生成手段により生成された動画像に対応する識別画像であると判断した場合、前記生成された動画像の生成元となった前記静止画符号化方式に則する複数の静止画像を順次復号化して表示手段に表示する静止画情報表示ステップと、を有することを特徴とする画像表示装置の画像表示方法。
【請求項１９】
請求項１５〜１８のいずれか１項に記載の画像表示方法をコンピュータに実行させるためのプログラム。
【請求項２０】
請求項１９に記載のプログラムを記憶したことを特徴とする記憶媒体。
【発明の詳細な説明】
【技術分野】
【０００１】
本発明は、静止画符号化方式に則した静止画像及び動画符号化方式に則した動画像を表示する技術に関する。
【背景技術】
【０００２】
ＤＶＤ（Ｄｉｇｉｔａｌ  Ｖｅｒｓａｔｉｌｅ  Ｄｉｓｃ）等を記録媒体として用い、これに静止画像や動画像を記録するデジタルビデオカメラなどの画像記録装置がある。この種の画像記録装置は同じ１つの記録媒体に動画像と静止画像をそれぞれ個別に記録している。
【０００３】
また、画像記録装置は、動画像を記録する際には符号化方式として  ＭＰＥＧ（Ｍｏｖｉｎｇ  Ｐｉｃｔｕｒｅ  Ｅｘｐｅｒｔｓ  Ｇｒｏｕｐ）方式を用いて動画像を符号化する。そして、符号化した動画像をＤＶＤ−Ｖｉｄｅｏ規格やＤＶＤ  ＶＩＤＥＯ  ＲＥＣＯＤＩＮＧ規格に則してＤＶＤに記録する。
【０００４】
静止画像を記録する場合には、符号化方式としてＪＰＥＧ（Ｊｏｉｎｔ  Ｐｈｏｔｏｇｒａｐｈｉｃ  Ｅｘｐｅｒｔｓ  Ｇｒｏｕｐ）方式を用いて静止画像を符号化する。そして、符号化した静止画像をｅｘｉｆ（Ｅｘｃｈａｎｇｅａｂｌｅ  Ｉｍａｇｅ  Ｆｉｌｅ  Ｆｏｒｍａｔ）規格やＤＣＦ（Ｄｅｓｉｇｎ  ｒｕｌｅ  ｆｏｒ  Ｃａｍｅｒａ  Ｆｉｌｅ  Ｓｙｓｔｅｍ）規格に準拠して記録する。
【０００５】
このように、画像記録装置における動画像と静止画像で符号化方式及び記録規格が異なっている。したがって、画像記録装置に対応する画像再生装置はその両方を再生するため、両方の符号化方式及び記録規格に対応している必要がある。つまり、画像再生装置がＭＰＥＧとＪＰＥＧ両方のデコーダ（復号化部）を持っている必要がある。
【０００６】
したがって、ＭＰＥＧデコーダのみしか持っていない一般的なＤＶＤプレーヤなどの再生機器は静止画像が記録された記録媒体を再生しようとしても、動画像の部分しか再生することができず、静止画像を表示することができない。
【０００７】
この問題を解決するために、ＪＰＥＧ方式で符号化された静止画像をＭＰＥＧ方式のＩ（Ｉｎｔｒａ）ピクチャに変換することにより、静止画像をＭＰＥＧ方式の動画像に符号化して記録する技術がある（特許文献１、２、３参照）。この技術を用いることにより、一般の画像再生装置でもＭＰＥＧ方式の動画像として静止画像を表示することができる。
【特許文献１】特開２００４−２０１１７０号公報
【特許文献２】特開２００４−２９７２２９号公報
【特許文献３】特登録３５５１１８１号公報
【発明の開示】
【発明が解決しようとする課題】
【０００８】
しかしながら、静止画像をＭＰＥＧ方式の動画像として表示させる場合、以下のような問題が生じる。
【０００９】
すなわち、ＤＶＤの規格に則してＭＰＥＧ方式の動画像を生成する場合、動画像の解像度に制限がかけられる。この動画像の解像度は、最大の解像度であっても、画像記録装置が生成する静止画像の解像度よりも低いものとなる。したがって、静止画像から動画像へ変換する際には高解像度の静止画像を動画像の解像度に落とす必要があり、画質が劣化してしまう。また、ＤＶＤの規格に準拠した動画像は、ビットレート等の制限もあり、これも画質が劣化してしまう要因となる。
【００１０】
画像再生装置にＭＰＥＧ方式及びＪＰＥＧ方式の両方の再生機能を備えさせれば、操作者が表示している低画質のＭＰＥＧ方式の動画像に対応するＪＰＥＧ方式の静止画像を特定及び取得して高画質に表示することもできる。しかし、操作者がそのような表示を望んでない場合は逆に利便性が悪いものとなり、また、表示のための操作も複雑でわかりにくいものとなるおそれがある。
【００１１】
本発明は、上述した問題点を解決するためのものであり、動画符号化方式に則して生成された動画像に対応する複数の高画質な静止画像を簡単な操作でかつ適切なタイミングで表示することを目的とする。
【課題を解決するための手段】
【００１２】
上述した問題点を解決するために、本発明の画像記録装置は、静止画像及び動画像を記録媒体に記録できる画像記録装置であって、静止画像を静止画符号化方式に則して符号化し前記記録媒体に記録する静止画記録手段と、動画像を動画符号化方式に則して符号化し前記記録媒体に記録する動画記録手段と、前記静止画符号化方式に則して符号化された複数の静止画像から前記動画符号化方式に則した動画像を生成し前記記録媒体に記録する生成記録手段と、前記記録媒体に記録された動画像の識別画像を表示手段に表示させる識別画像表示制御手段と、前記表示手段において指定された識別画像に対応する動画像を前記表示手段に表示させる動画情報表示制御手段と、前記表示手段において指定された識別画像が前記生成記録手段により生成された動画像に対応する識別画像であった場合、前記生成された動画像の生成元となった前記静止画符号化方式に則する複数の静止画像を前記表示手段に順次表示させる静止画情報表示制御手段と、を有することを特徴とする。
【発明の効果】
【００１３】
本発明によれば、動画符号化方式に則して生成された動画像に対応する複数の高画質な静止画像を簡単な操作でかつ適切なタイミングで表示することができるという効果がる。
【発明を実施するための最良の形態】
【００１４】
以下、図面を参照しながら本発明の好適な実施の形態を説明する。
【００１５】
（第１の実施形態）
図１は本発明を適用可能な画像記録装置の構成図である。この装置はＤＶＤを記録媒体とし、画像記録機能と画像再生機能の両方を併せ持つビデオカメラである。
【００１６】
本実施形態のビデオカメラは、カメラ部１００と、エンコード部１０１と、を備えている。カメラ部１００は、映像を電気信号として入力するＣＣＤと電子式シャッター機能を備えており、動画像として利用するための映像信号と静止画像として利用するための映像信号とを切り換えて出力することができる。
【００１７】
エンコード部１０１は、カメラ部１００から入力される動画像及び静止画像の映像信号を符号化する。ＪＰＥＧ（Ｊｏｉｎｔ  Ｐｈｏｔｏｇｒａｐｈｉｃ  Ｅｘｐｅｒｔｓ  Ｇｒｏｕｐ）エンコーダはＪＰＥＧ符号化方式に則り静止画像を符号化する。ＭＰＥＧ（Ｍｏｖｉｎｇ  Ｐｉｃｔｕｒｅ  Ｅｘｐｅｒｔｓ  Ｇｒｏｕｐ）エンコーダはＭＰＥＧ符号化方式に則り動画像を符号化する。
【００１８】
バッファメモリ１０２はディスクアクセス時に用いられ、エンコーダ部１０１から出力された符号化後の画像を一時的に記憶する。ディスクアクセス部１０３はバッファ１０２のデータのＤＶＤへの書き込み、及びＤＶＤ１０４からのデータの読み出しを行う。
【００１９】
ディスク１０４は、ビデオカメラで得られた動画像及び静止画像が記録されるＤＶＤである。本実施形態において、このＤＶＤはＤＶＤ−ＲＷであるが、ＤＶＤ−ＲやＤＶＤ＋ＲＷ等、他の種別のＤＶＤを用いてもよいことはいうまでもない。
【００２０】
本実施形態のビデオカメラは、ディスク１０４に記録されている静止画像、あるいは動画像データであるＪＰＥＧ静止画像、ＭＰＥＧ動画像を元の映像に戻すデコード部１０５と、その映像を表示するＬＣＤ１０８、ＬＣＤコントローラ１０７を備えている。さらに、ビデオカメラは、ＬＣＤ１０８に映像を表示することなく、または映像を表示すると同時に外部出力端子１０６へ映像信号を出力することが可能である。外部出力端子１０６へ映像信号を出力する際は、デコーダ部１０５が外部出力に適したデータを作成する。
【００２１】
ＣＰＵ１１０はＣＰＵバス１０９を介して、ＲＯＭ１１１、ＲＡＭ１１２、操作部１１３、およびその他のブロックと接続し、各接続ブロックを制御することができる。操作部１１３はユーザーによる各種の操作キーやつまみなどの指示入力をＣＰＵ１１０に伝える。
【００２２】
図２は、操作部１１３の詳細を示す図である。操作部１１３は、ビデオカメラの側面または後部面等に備えられたボタン等により構成されている。これらボタンに対する操作者の押下操作やスライド操作等に応じて各種操作信号が発生し、ＣＰＵ１１０等に対して操作信号が送出される。
【００２３】
図２において、巻き戻しボタン２０１、再生・停止ボタン２０２、一時停止ボタン、早送りボタン等は、動画再生モードにおいて、各種動画の再生操作を行う際に用いられる。
【００２４】
ファイナライズボタン２０５は、ＤＶＤを他の再生機器で再生可能とするための処理であるファイナライズを指示するためのボタンである。動画／静止画ボタン２０６は、再生モードにおいて動画再生及び静止画再生を切り替えるためのボタンである。記録／再生ボタン２０７は、ビデオカメラの動作モードを記録モードと再生モードとの間で切り替えるためのボタンである。
【００２５】
十字キー２０８はＬＣＤ等の表示ＵＩにおいて各種設定を行う際にカーソル位置等を移動させるための十字キーである。メニューボタン２０９は表示ＵＩへのメニュー画面の表示と非表示等を支持するためのボタン、ＳＥＴボタンは主にＵＩ操作における決定指示を入力するためのボタンである。
【００２６】
ズームボタン２１１は記録モードにおいてカメラ部１００のズーム量を調整するためのボタンであり、Ｔ側に指示するほどズーム倍率が高くなり、Ｗ側に指示するほどズーム倍率が低くなる。ズームボタン２１１は記録モードのみならず、再生モードにおいても再生画像の表示倍率調整のために用いられる。シャッターボタン２１２は静止画を撮影するためのボタンであり、ボタン２１２の押下に応じてカメラ部１００は静止画撮影動作を行い静止画像生成用の映像を出力する。録画ボタン２１３は動画像を撮影するためのボタンであり、ボタン２１３の押下に応じてカメラ部１００は動画撮影動作を開始し、動画像生成用の映像を出力する。
【００２７】
次に図３のフローチャートを用いて、ＤＶＤへの画像の記録時の動作について説明する。
【００２８】
まず、ＣＰＵ１１０は、ユーザーにより、操作部１１３からの指示信号に基づき映像記録指示が与えられたと判断すると（Ｓ１０１：Ｙｅｓ）、ＣＰＵ１１０はカメラ部１００より映像データを読み込ませる（Ｓ１０２）。
【００２９】
次に、ＣＰＵ１１０は、シャッターボタン２１２または録画ボタン２１３のいずれかの指示信号を検出することで、ユーザーの指示が動画像の記録指示か静止画像の記録指示か判断する（Ｓ１０３）。
【００３０】
ここで、動画像の記録指示である場合、ＣＰＵ１１１０は、映像データをＭＰＥＧエンコーダに入力させる。ＭＰＥＧエンコーダは、入力された動画像をＭＰＥＧの符号化方式に従い符号化する（Ｓ１０４）。さらに、エンコーダ部１０１は、ＣＰＵ１１０の制御のもと、符号化されたデータを用いてＤＶＤの規格に沿った記録データを生成しバッファ１０２に出力する（Ｓ１０５）。本実施形態の動画像記録のための規格はＤＶＤ−Ｖｉｄｅｏ規格であるが、これに限らず、ＤＶＤ  ＶＩＤＥＯ  ＲＥＣＯＤＩＮＧ規格でもよい。
【００３１】
一方、静止画像の記録指示である場合、ＣＰＵ１１０は、映像データをＪＰＥＧエンコーダに入力させ、ＪＰＥＧエンコーダは、入力された静止画像をＪＰＥＧの符号化方式に従い符号化する（Ｓ１０６）。さらに、エンコーダ部１０１は、ＣＰＵ１１０の制御のもと、符号化されたデータを用いてＤＣＦの規格に沿って記録データを生成しバッファ１０２に出力する（Ｓ１０７）。
【００３２】
ＪＰＥＧ静止画像またはＭＰＥＧ動画像の記録データがバッファ１０２に記憶されると、ＣＰＵ１１０は、ディスクアクセス部１０３を制御し、バッファメモリ１０２の記録データを記録媒体１０４に記録する（Ｓ１０８）。
【００３３】
このようにして、ＤＶＤビデオカメラはＤＶＤへ動画像をＭＰＥＧデータとして、静止画像をＪＰＥＧとして記録できるようになっている。ＣＰＵ１１０は、操作部１１３のファイナライズボタン２０５からファイナライズの指示がされているか判断する（Ｓ１０９）。ここで、指示されていなければ（Ｓ１０９：Ｎｏ）、上記記録制御を繰り返し、指示されていれば（Ｓ１０９：Ｙｅｓ）、ファイナライズ処理を実行する（Ｓ１１０）。
【００３４】
次に、ファイナライズ処理、及びその処理のなかで実行されるＪＰＥＧ静止画像からＭＰＥＧ動画像を生成する処理について説明する。
【００３５】
本実施形態においては、ファイナライズ処理の設定画面上でのユーザーからの指示に応じて、ＪＰＥＧ静止画像からＭＰＥＧ動画像を生成する。
【００３６】
ユーザーより指示があると、ディスクアクセス部１０３よりＤＶＤ内のすべてのＪＰＥＧ静止画像を読み出し、それぞれＭＰＥＧ方式のＩピクチャを生成する。さらに、生成したＭＰＥＧ動画像をＤＶＤに追記する。
【００３７】
ＤＶＤ−Ｖｉｄｅｏ規格では、記録データは、図４のような配置でＤＶＤ上に順番に記録される。
【００３８】
１つのＶＭＧ（Ｖｉｄｅｏ  Ｍａｎａｇｅｒ）３０１と複数のＶＴＳ（Ｖｉｄｅｏ  Ｔｉｔｌｅ  Ｓｅｔ）３０２，３０４，３０６が存在し、ＶＭＧはＶＴＳを再生するために必要なＶＴＳの管理情報が格納され、ＶＴＳには動画像のコンテンツ自体が格納されている。
【００３９】
静止画に関しては独立したＪＰＥＧ静止画像として、撮影時点でのＤＶＤの空き領域の先頭に記録される。したがって、動画像と静止画像を交互に撮影した場合、図４のようにＶＴＳとＪＰＥＧ静止画像が交互に記録される。
【００４０】
ＤＶＤ−Ｖｉｄｅｏ規格の場合には、ＶＴＳの状態に応じてＶＭＧを作成しなければならず、記録メディアがＤＶＤ−Ｒの場合は追記のみしかできないため記録の最後にＶＭＧを作成する処理が必要となる。また、ＶＭＧがないと一般のＤＶＤプレーヤ等の再生機器では撮影データを再生することができない。さらに、一度ファイナライズを行うと追記ができなくなるため、記録媒体にある程度、撮影データを記録した後、この媒体にはこれ以上記録しないという状態になったときにファイナライズ処理を行う。
【００４１】
したがって、特にＤＶＤ−Ｒの場合に該当するが、ＪＰＥＧ静止画像をＭＰＥＧ動画像に変換する際には、このファイナライズ処理とともに変換を行うと都合がよい。
【００４２】
ユーザーによってファイナライズ設定の際に静止画像を動画像に変換する指示が出されていると、すべての静止画像（ＪＰＥＧ静止画像）を読み込む。そして、最後に撮影された動画像データである最後のＶＴＳ（図４のＶＴＳｎ）の次に、読み込んだ静止画像データを元に動画像に変換して出来たＭＰＥＧ動画像を新たなＶＴＳ（図４のＶＴＳｎ＋１）として追記する。
【００４３】
また、この際にＶＴＳ内の動画像の情報を保存するＶＴＳＩという領域のＣｅｌｌ  Ｓｔｉｌｌ  Ｔｉｍｅに静止画を表示する間隔の時間を入れておく。あるいは、Ｓｅｑｕｅｎｃｅ＿ｅｎｄ＿ｃｏｄｅをＭＰＥＧの各ピクチャのあとに付加しておく。
【００４４】
この後、変換したＶＴＳを含む、すべてのＶＴＳの情報をもとにＶＭＧを作成し、ファイナライズ処理を行う。なお、静止画の記録規格については省略して説明しているが、図示しない領域（例えば、ＶＭＧの前）にＵＤＦ（Ｕｎｉｖｅｒｓａｌ  Ｄｉｓｋ  Ｆｏｒｍａｔ）規格に則した管理情報が記録されている。
【００４５】
このようにしてファイナライズされたＤＶＤを作成すると、ＤＶＤプレーヤ等の再生機器で動画像に変換された静止画像を再生することが可能となる。変換した動画像を再生することで、静止画像を１枚再生するごとに停止するといったことや、３秒ごとに静止画が切り替わるスライドショーのような再生が可能となる。
【００４６】
次に、図５を用いて、ＪＰＥＧ静止画からせ生成した静止画（Ｉピクチャ）を含むＶＴＳの形式について説明する。
【００４７】
図５においてＶＴＳの中にはＶＴＳＩ（Ｖｉｄｅｏ  Ｔｉｔｌｅ  Ｓｅｔ  Ｉｎｆｏｒｍａｔｉｏｎ）、ＶＴＳＴＴ＿ＶＯＢＳ（Ｖｉｄｅｏ  Ｏｂｊｅｃｔ  Ｓｅｔ  ｆｏｒ  Ｔｉｔｌｅ）、ＶＴＳＩ＿ＢＵＰ（Ｖｉｄｅｏ  Ｔｉｔｌｅ  Ｓｅｔ  Ｉｎｆｏｒｍａｔｉｏｎ  ｂａｃｋｕｐ）が含まれている。ＶＴＳＩはＶＴＳＴＴ＿ＶＯＢＳ内のデータを管理し、ＶＯＢのデータを読み出せるようにするための管理情報である。ＶＴＳＩ＿ＢＵＰはＶＴＳＩのバックアップであり、内容はＶＴＳＩとまったく同一のデータである。ＶＴＳＴＴ＿ＶＯＢＳは複数のＶＯＢから構成され、それぞれのＶＯＢがチャプターに相当している。
【００４８】
各ＶＯＢの中には複数のＣＥＬＬを持つことが可能であるが、ここでは説明を簡単にするためにＶＯＢの中にはＣＥＬＬが１つしか存在しないこととする。
【００４９】
ＣＥＬＬには複数のＶＯＢＵ（Ｖｉｄｅｏ  Ｏｂｊｅｃｔ  Ｕｎｉｔ）が存在してもよいが、ＶＯＢと同様に、ここではＣＥＬＬの中にはＶＯＢＵが１つ存在することとして説明する。
【００５０】
ＶＯＢＵの中には先頭にＮＶ＿ＰＣＫ（Ｎａｖｉｇａｔｉｏｎ  ｐａｃｋ）と呼ばれるサーチを行うための情報が存在し、続いて複数のＶ＿ＰＣＫ（Ｖｉｄｅｏ  ｐａｃｋ）が続いている。ＪＰＥＧ静止画５０１を元に生成されたＭＰＥＧのＩピクチャはＶ＿ＰＣＫに収められる。１つのＶ＿ＰＣＫに収まりきれない場合は、複数のＶ＿ＰＣＫに分割されて収められる。なお、後述の画像リスト５０２はＮＶ＿ＰＣＫに記録される。
【００５１】
次に、図３のステップＳ１１０のファイナライズ時にＪＰＥＧ静止画をＭＰＥＧに変換する際の処理の流れを図６に従って説明する。
【００５２】
まず、ＣＰＵ１１０は、ユーザーの操作部１１１からの指示入力に応じて、ファイナライズ処理の設定を行う（Ｓ２０１）。ここでは、ＪＰＥＧ静止画像からＭＰＥＧ動画像を生成する処理を実行するか否かの決定、実行する場合、どの静止画像を利用するかの特定等が行われる。ここでは、撮影した全てのＪＰＥＧ静止画像をもとに１つのＭＰＥＧ動画像を生成する設定がされたものとする。
【００５３】
ユーザーによってファイナライズ処理の指示が出されると、ＪＰＥＧ静止画像からＭＰＥＧ動画像を生成する処理を開始する。生成処理が始まると、まず初めに１枚目に撮影したＪＰＥＧ静止画像を読み込む（Ｓ２０２）。
【００５４】
次に一旦、ＪＰＥＧ静止画像をデコードしもとの静止画像の映像データを作成する（Ｓ２０３）。
【００５５】
次に、デコードしたデータの解像度を判別し、ＭＰＥＧの規格に合う解像度に変換を行う（Ｓ２０４）。通常、ＤＶＤ−Ｖｉｄｅｏ規格のＭＰＥＧ動画像の解像度よりもＪＰＥＧの解像度のほうが高いため縮小処理をおこない、静止画像の映像全体がＭＰＥＧの解像度に入るようにする。
【００５６】
縮小した映像データをＭＰＥＧのストリームにするため、ＭＰＥＧのＩピクチャ形式で符号化を行う（Ｓ２０５）。
【００５７】
続いて１枚目の画像の場合には新たにＶＴＳを作成し、その中にＶＯＢを作成し、さらにＶＯＢの中のＶＯＢＵにＶ＿ＰＣＫとしてＩピクチャを挿入する（Ｓ２０６）。
【００５８】
すべての静止画像をＩピクチャに変換していない場合（Ｓ２０７：Ｎｏ）は、再び静止画データの読み込み（Ｓ２０２）、以上の処理を繰り返し、すでに作成したＶＯＢの中にＩピクチャを追加していく。
【００５９】
撮影したすべての静止画像の変換が終わったら、ＣＰＵ１０１は、生成した動画像データと静止画像データとのリンク情報を示す画像リストを作成する（Ｓ２０８）。
【００６０】
ここで画像リストとは、ＭＰＥＧ動画像が作られるときに元となった選択されたＪＰＥＧ静止画像のリストである。この画像リストは、図５で説明したように、静止画を選択して動画像を作成する際にあらかじめ作成し保存しておかれたものである。
【００６１】
生成されるリストは、図７（ａ）に示すものである。図上で明示していないが上からの記載順が再生順序である。ＣＰＵ１０１は、画像リストを、ＮＶ＿ＰＣＫ内にあるプライベートストリームに配置する。
【００６２】
なお、画像リストは、プライベートストリームに限らず、記録媒体上に独立したデータとして作成しておいてもよい。
【００６３】
次に、作成した画像リストが配置されたＮＶ＿ＰＣＫを含むＶＯＢの情報をＶＴＳＩに書き込む（Ｓ２０９）。
【００６４】
続いて、すべてのＶＴＳの情報を集め、ＶＭＧに入れるデータを作成する（Ｓ２１０）。
【００６５】
最後に、記録メディアに管理情報を書き込み、ファイナライズ処理を行う（Ｓ２１１）。
【００６６】
以上の処理によって、すべての静止画像が入ったＭＰＥＧのデータを追加することができ、ＤＶＤプレーヤ等の再生機器で静止画像をスライドショーのように見ることが可能となる。
【００６７】
また、図６のステップＳ２０１で、事前に動画像に入れたいＪＰＥＧ静止画を選択しておき、ステップＳ２０２〜Ｓ２０７の処理を選択されたＪＰＥＧ静止画像についてのみ行うことで、ユーザーが見たい静止画像のみをＭＰＥＧ動画像に変換することも可能である。
【００６８】
このように選択したＪＰＥＧ静止画像のみを動画像に変換する仕組みがある場合には、異なるＪＰＥＧ静止画像を選択することで、静止画再生用の複数のＭＰＥＧ動画像を作成することが出来るようになる。この場合ステップＳ２０８で作成される画像リストは、例えば、図７（ｂ）のようになる。このリストや複数のＭＰＥＧ画像は、例えば、静止画を撮影した場所ごとに、異なった動画像を作成するようなときに、生成及び利用できる。
【００６９】
図８はＤＶＤビデオカメラにおいて、動画像と静止画像を再生する場合に表示される一覧表示画面の一例である。動画像の一覧表示と静止画像の一覧表示が画面上部のタブによって、切り替えられるようになっている。
【００７０】
動画像は撮影開始時の場面の画像、例えば、動画像の先頭フレームの画像がその動画像の識別画像として表示される（図８（ａ））。静止画像は撮影した静止画像を縮小して表示される（以下、一覧表示画面の縮小画像をサムネイルと呼ぶ）。動画像を再生する場合には、動画一覧を表示させて、操作部１１３の十字キー等を使用して希望の動画像のサムネイルを選択することで、その動画像の再生が開始される。静止画を見たい場合には、静止画一覧表示に切り替え、希望の静止画像のサムネイルを選択することで、その静止画が画面全体に表示される（図８（ｂ））。
【００７１】
このようなユーザーインターフェースの場合には、静止画像を動画像に変換した動画像は動画一覧に表示される。再生したい場合には、動画一覧から静止画像を動画像に変換した動画像のサムネイルを選択することで再生が出来る。
【００７２】
しかしながら、動画像に変換されているので、ＤＶＤ−Ｖｉｄｅｏ規格で対応している解像度になっており、元の静止画像と比較して画質は劣化している。そのため、静止画を見る場合には、静止画一覧から、元となったＪＰＥＧ静止画像を選択して表示させたほうが高画質で見ることができる。したがって、静止画は変換した動画像ではなく、元となった静止画自体を表示したほうがよい。
【００７３】
静止画を順番に一定間隔で表示を行うスライドショー機能があれば、変換した動画を再生した場合と同様の表示を高画質で行うことができる。
【００７４】
また、静止画から動画に変換した動画像は、ＤＶＤ−Ｖｉｄｅｏ規格上、ユーザー操作によって、一枚毎に表示を進めたり、戻したりといったことが出来ない。また、表示中に一部をズームするなどの機能も特別に対応した機器でないと利用することができない。特別にズーム機能をつけた機器でも、すでに画質が劣化している画像を拡大するためにきれいな映像をみることは出来ず有効な機能とはいえない。
【００７５】
さらに、元となったＪＰＥＧ静止画像には画像データ以外にも撮影日時や撮影時のカメラ設定などの情報が付加されているが、それらの付加情報は動画像に変換する際に削除されてしまうため動画像の再生時には、それら付加情報を参照することができないといった欠点が存在する。
【００７６】
そこで、図９のように本機器では動画、静止画を分けずに同一画面にすべて一覧表示する。このように表示することで動画像と静止画像にかかわらず、時系列に並べることが可能である。
【００７７】
また、ＭＰＥＧ動画像とＪＰＥＧ静止画像とＪＰＥＧ静止画像から生成したＭＰＥＧ動画像それぞれが区別出来るようにアイコンを重ねて表示している。
【００７８】
本実施形態のサムネイル表示画面の生成処理と、その画面でサムネイルを選択した際の処理の流れについて、図１０を用いて説明する。
【００７９】
まず、操作部１１３のモード切替ボタンによりビデオカメラが再生モードに設定されることに応じて、記録媒体に記録された管理情報であるところのＶＭＧ及びＵＤＦを読み込む（Ｓ３０１）。
【００８０】
次に、ＶＭＧ及びＵＤＦに記録された各画像の記録時間情報に基づき記録時間順に画像をソートし、記録時間の早い順から画像のサムネイル画像をそれぞれ生成する（Ｓ３０２）。さらに、生成されたサムネイル画像をＬＣＤの左上から順に表示する（Ｓ３０３）。
【００８１】
本実施形態では、ＶＴＳｎ＋１として記録されていたＪＰＥＧ静止画像から生成されたＭＰＥＧ動画像に対応するサムネイル画像を右下位置に表示する。この画像は次ページボタンを押しても変わらず表示される。
【００８２】
本実施形態では、再生モードに移行する毎に各画像のサムネイル画像を生成するものとしたが、予め画像の記録時にサムネイル画像を生成しているのであれば、その画像を用いてもよい。
【００８３】
サムネイル画像が指定（Ｓ３０４）されると、まず、指定されたサムネイルがどの種別の画像であるか判別する（Ｓ３０５）。ユーザーが撮影したＭＰＥＧ動画像の場合にはその動画像の再生を開始する（Ｓ３０６）。このとき、ＬＣＤは再生された動画像を画面全体に表示する。ユーザーが撮影した静止画像の場合にはそのＪＰＥＧ静止画像を表示する（Ｓ３０７）。このとき、ＬＣＤは再生された静止画像を画面全体に表示する。
【００８４】
もし、選択されたサムネイルが静止画像から生成された動画像である場合には、図７の画像リストを取得する（Ｓ３０８）。
【００８５】
次に、画像リストに従って、ＪＰＥＧ静止画像を順に再生（Ｓ３０９）していく。画像リスト中の静止画をすべて再生し終えると（Ｓ３１０）処理を終了する。
【００８６】
再生を開始したときに静止画を動画像に変換した際のＣｅｌｌ  Ｓｔｉｌｌ  Ｔｉｍｅを読み込みその設定で、静止画像の表示を行えば、変換した動画像を再生した場合と比べて画質が良くなっている以外、変わりなく再生を行うことが出来る。
【００８７】
Ｓ３０９で再生する際に１枚の画像を表示する時間をユーザーが指定できるようにしておけば、任意の時間で自動的に表示が切り替わっていくような表示が可能である。記録媒体に記録した動画像の場合にはＣｅｌｌ  Ｓｔｉｌｌ  Ｔｉｍｅが記録媒体上に記録されているため、表示間隔を変更することができない。
【００８８】
画像リストが存在しない場合には、記録媒体に存在するすべての静止画像を撮影日時順にスライドショー表示する。
【００８９】
以上説明したように、本実施形態によれば、ＭＰＥＧ動画像のＩピクチャよりも情報量が多いＪＰＥＧ静止画像を用いて、静止画像を表示することで、高画質な静止画像を表示することが可能となる。
【００９０】
また、ＭＰＥＧ方式では一枚の静止画像の表示時間が固定されているため、ユーザー操作によって、画像送りや画像戻しをすることができないが、本映像記録再生装置ではＪＰＥＧ静止画像を用いて再生を行っている。したがって、操作部１１３の十字キー等を用いたユーザー操作によって、画像送りや画像戻しも可能とする構成としてもよい。
【００９１】
また、複数の画像リストを作成することにより、静止画像の表示順を指定することも可能である。
【００９２】
なお、本実施形態の表示画面において、再生画像を指定するための識別画像としてサムネイル画像を使用したが、本発明はこれに限るものではない。例えば、画像名等の文字画像やアイコンなど他の形態の識別画像を表示し操作者に指定可能なように構成してよい。
【００９３】
以上のような処理を行うことによって、高画質な画像表示をより適切なタイミングで行うことが可能となり、また、操作性も向上させることが可能となる。
【００９４】
（第２の実施形態）
第１の実施形態で説明したように、複数のＪＰＥＧ静止画像から生成されるＭＰＥＧ動画像は、自動スライドショーの形式をとる。このため、必ずしも操作者にとって使い勝手のよいものではない。本実施形態では、初めは動画再生を行っておき、表示されている画像に応じて、操作者が必要と感じたときのみ静止画に切り替えて再生を行うようにした。
【００９５】
本実施形態のフローチャートを図１１に示す。図１０のフローチャートにおいて静止画から生成された動画像の再生が指定された場合の処理のみが、第１の実施形態と異なる。すなわち、図１０の分岐Ａが図１１の処理の開始に相当する。
【００９６】
まず、第１の実施形態と同様に画像リストを取得し（Ｓ４０１）、画像数カウンタを０にリセットする（Ｓ４０２）。
【００９７】
次に、第１の実施形態と異なり、最初にＭＰＥＧ動画像の再生を開始し（Ｓ４０３）、ズームキーのＴ側へのスライドが無いかを判断する（Ｓ４０４）。
【００９８】
ここで、ズームキーのスライドが無いと判断された場合、スライドショーの１画像の切り替え時間を意味するＴ秒（例えば、３秒）が経過したか判断し（Ｓ４０５）、経過していれば画像数カウンタを１つ増やす（Ｓ４０６）。以上の処理は、操作者からのズームキー操作が無ければ対象画像を全て再生するまで（ｎがリストの画像数に達して動画像の再生が終了するまで）繰り返される（Ｓ４０７）。
【００９９】
ステップＳ４０４でズームキー操作がされたと判断した場合、リストのｎ番目の静止画像が動画像に切り替えられて表示される（Ｓ４０８）。この表示はズームキーがＷ側にスライドされるまで持続される（Ｓ４０９）。
【０１００】
ズームキーがＷ側に操作された場合（Ｓ４０９：Ｙｅｓ）Ｎ＊Ｔの時刻、すなわち静止画に切り替えられたときの時刻に対応する動画像に切り替えられて表示が再開される（Ｓ４１０）。
【０１０１】
以上のように、本実施形態では、ズームキーの操作に応じて、スライドショー動画像及びその動画像に対応する一枚の静止画像を表示できるようにした。これにより、操作者は動画像スライドショーを続けながら、必要な画像だけ高画質なＪＰＥＧ画像を見ることができるので、より使い勝手の良い画像確認ができる。
【０１０２】
また、指示手段として、倍率操作に用いるズームキーを利用することにより、直感的な操作が可能となる。したがって、例えば３秒といった短い時間で画像が変化していく動画スライドショーであっても、操作者は操作を誤ることなく所望とする画像確認及び切り替えが可能となる。
【０１０３】
（第３の実施形態）
第１の実施形態では、スライドショーサムネイルを指定すると自動的にＪＰＥＧ静止画スライドショーが開始された。しかし、全ての操作者がＪＰＥＧ静止画スライドショーをすぐに見たいとは限らない。
【０１０４】
ビデオカメラの所有者が自分のビデオカメラで動画スライドショー（複数静止画像から生成したＭＰＥＧ動画像）を作成し、そのカメラで再生操作を行っているとする。この場合、操作者は、わざわざ自分が作った動画スライドショーを再生させず、直接ＪＰＥＧ静止画を再生する場面は多いといえる。
【０１０５】
その一方で、ビデオカメラの所有者が異なるビデオカメラで記録されたＤＶＤを再生する場合は、いきなりＪＰＥＧ静止画像を１つずつ再生するのではなく、まずは、動画スライドショーで大まかな内容を確認したいことが多いと考えられる。また、ビデオカメラの所有者でない者が記録媒体のみ取得して他の機器で再生させる場合も同様に、その操作者はまず、大まかな内容を確認したいことが多いと考えられる。
【０１０６】
本実施形態では、再生しようとしているＤＶＤに記録された動画スライドショー（複数静止画像から生成したＭＰＥＧ動画像）がそのビデオカメラで作成されたものであるか否かに応じて、優先して先に表示させる画像を切り替えるようにする。
【０１０７】
図１２に本実施形態の表示処理のフローチャートを示す。第１の実施形態と同様のステップについては同じ符号を付しており、その説明は省略する。
【０１０８】
本実施形態も、静止画像から生成された動画像を指定されたステップ（Ｓ３０５）から第１の実施形態と異なる。このステップの後、本実施形態では、指示された動画像がそのビデオカメラで作成されたものであるか否かを判断する（Ｓ５０１）。ここでの判断は、例えばＶＭＧを参照しＶＴＳｎ＋１の管理情報を調べることにより可能となる。すなわち、ＶＴＳｎ＋１の作成時においてデバイス情報がＶＭＧに関連づけられて記憶されている。
【０１０９】
ここで、指示された動画像がそのビデオカメラで作成されたものであると判断した場合（Ｓ５０１：Ｙｅｓ）、第１の実施形態と同様の処理を行う。そのビデオカメラで作成されたものでないと判断した場合（Ｓ５０１：Ｎｏ）、ステップＳ３０６に進み、作成されたＭＰＥＧ動画像によるスライドショー表示を行う。
【０１１０】
以上説明したように、本実施形態では、静止画から生成されたＭＰＥＧ動画像がそのビデオカメラで作成されたものでない場合は、ＭＰＥＧ動画像そのものを再生するようにした。一方、そのビデオカメラで作成されたものである場合は、ＭＰＥＧ動画像に対応する複数のＪＰＥＧ静止画像を再生するようにした。
【０１１１】
これにより、その再生機器を操作している操作者の要望に沿った順序での再生可能となり、さらに操作性が向上する。
【０１１２】
（第４の実施形態）
本実施形態では図１のビデオカメラの外部出力端子１０６を使用して外部の映像表示装置において映像を表示させる例について説明する。
【０１１３】
本実施形態の外部出力端子１０６は、Ｄ端子やコンポーネント出力機能を持っており、ハイビジョン信号の出力が出来る。ハイビジョン信号では７２０ｐや１０８０ｉ等の高精細な映像信号を出力できる。ここで、４８０ｉ、７２０ｐ、１０８０ｉはそれぞれ映像信号の走査線の数が異なる映像信号であり、数が大きいほど映像の解像度が高いことになる。４８０ｉは通常のＴＶ放送で用いられている方式であり、７２０ｐ、１０８０ｉはハイビジョン放送で用いられている方式である。
【０１１４】
デコーダ部１０５は、以上のような方式に適応した高画質の映像信号を生成して外部出力端子１０６に対して出力する。すなわち、第１の実施形態と同様に、ＭＰＥＧ動画像そのものではなく、元となったＪＰＥＧ静止画像をデコードしてリサイズして出力する。
【０１１５】
ＤＶＤ−Ｖｉｄｅｏ規格のＭＰＥＧ方式では４８０ｉの解像度で符号化をおこなうため、映像出力は４８０ｉ相当になってしまう。ＪＰＥＧ静止画像を用いる場合には、通常、ＪＰＥＧ静止画像を４８０ｉまで縮小せずに、７２０ｐや１０８０ｉの解像度に縮小して映像出力することで、より高画質な表示を行うことが可能となる。
【０１１６】
（第５の実施形態）
第１の実施形態では、本発明をＤＶＤビデオカメラ等、画像記録装置に適用した例を説明した。本実施形態では、本発明を画像表示装置に適用した例について説明する。映像再生装置としては、例えば、パーソナルコンピュータ、デジタルテレビ、ＤＶＤプレーヤー等が挙げられる。
【０１１７】
図１１に本実施形態の画像再生装置の構成図を示す。本実施形態の処理は、第１の実施形態と同様であり、機器がＤＶＤを認識後、図１０のフローチャートに従うものである。
【０１１８】
（他の実施形態）
本発明の目的は、前述した各実施形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【０１１９】
この場合、記憶媒体から読み出されたプログラムコード自体が本発明の新規な機能を実現することになり、そのプログラムコードを記憶した記憶媒体およびプログラムは本発明を構成することになる。
【０１２０】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【０１２１】
また、コンピュータが読み出したプログラムコードを実行することにより、前述した各実施形態の機能が実現されるだけでなく、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【０１２２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施形態の機能が実現される場合も含まれる。
【図面の簡単な説明】
【０１２３】
【図１】第１の実施形態の画像記録装置の構成を示す図
【図２】操作部の詳細を示す図
【図３】ＤＶＤへの画像の記録時の動作を示す図
【図４】ＤＶＤ上での記録データの配置順を示す図
【図５】ＶＴＳの形式を示す図
【図６】ＪＰＥＧ静止画をＭＰＥＧに変換する際の処理を示す図
【図７】画像リストの例を示す図
【図８】表示画面の一例を示す図
【図９】第１の実施形態の表示画面の一例を示す図
【図１０】第１の実施形態における表示処理を示す図
【図１１】第２の実施形態における表示処理を示す図
【図１２】第３の実施形態における表示処理を示す図
【図１３】第５の実施形態における画像表示装置の構成を示す図
【符号の説明】
【０１２４】
１００  カメラ部
１０１  エンコード部
１０２  バッファ
１０３  ディスクアクセス部
１０４  記録メディア
１０５  デコード部
１０６  映像出力端子
１０７  ＬＣＤコントローラ
１０８  ＬＣＤ
１０９  ＣＰＵバス
１１０  ＣＰＵ
１１１  ＲＯＭ
１１２  ＲＡＭ
１１３  操作部
【図１】
2007235195.tif 000003
【図２】
2007235195.tif 000004
【図３】
2007235195.tif 000005
【図４】
2007235195.tif 000006
【図５】
2007235195.tif 000007
【図６】
2007235195.tif 000008
【図７】
2007235195.tif 000009
【図８】
2007235195.tif 000010
【図９】
2007235195.tif 000011
【図１０】
2007235195.tif 000012
【図１１】
2007235195.tif 000013
【図１２】
2007235195.tif 000014
【図１３】
2007235195.tif 000015